(57)【要約】【課題】本発明は、安全注射器を提供する。【解決手段】押圧棒２０の前端に位置する弾性ピストン２１に、係合体３０が設けられ、前記係合体３０に、軸方向に係止槽３１と切溝３３が形成され、また、注射筒１０の収納孔１３内に、中継接続部４１が収納され、これにより、前記押圧棒２０と注射針セット４０とが迅速に嵌合でき、また、前記注射針セット４０が、押圧棒２０を引き戻し過程において、安定的に係止できる効果が得られる構成とした。【選択図】図１
2008136584.tif 000002
【特許請求の範囲】
【請求項１】
全体が中空円筒体に形成され、前端に位置して注射針セットを収納する第１の端と、指引掛け部が設けられた末端に位置する第２の端があり、内部には収納室が形成されると共に、前記第１の端の内部は、収納室に連通して口径が収納室の口径より小さい収納孔が形成された注射筒と、
前記注射筒の収納室の内壁に密着して摺動できるように弾性ピストンが設けられた一端が、軸方向に直線的に摺動するように注射筒の収納室に挿設され、他端に指押し部が形成される押圧棒と、
前記弾性ピストンが外側に配設され、かつ中央部分に内凹みの係止槽が設けられ、外表面に当接部が設けられた係合体と、
頂端に注射針が設けられ、かつ末端に接合部が形成された中継接続部と、該接合部に、前記注射針に連通する流路が設けられた中央突出体を有し、該突出体を囲むように接合槽が設けられた注射針セットと、
を備えたことを特徴とする安全注射器。
【請求項２】
前記中継接続部の中央突出体の下端が、上から下へ少しずつ縮小するような上部で広く下部で狭くなる態様のテーパ形状の突出体で、該テーパ形状の突出体の下端の直径寸法が、係止槽の内径より少し小さくて、係合体に、係止槽の軸方向に切溝が形成され、突出体を係止槽に突入させることにより、係合体が分離されて外方へ弾性的に広がるようにしたことを特徴とする請求項１に記載の安全注射器。
【請求項３】
前記係合体の外表面の当接部が、外突環状であり、接合槽の内壁面に、位置決め溝が設けられ、該係合体が外方へ広げられた時、該当接部が該位置決め溝に係止することを特徴とする請求項１に記載の安全注射器。
【請求項４】
前記収納孔の底端壁面に、当接斜面が形成され、接合槽の外表面に、収納孔の当接斜面に対応する装着部が形成されることを特徴とする請求項１に記載の安全注射器。
【発明の詳細な説明】
【技術分野】
【０００１】
本発明は注射器に関し、特に安全注射器に関する。
【背景技術】
【０００２】
従来の安全注射器は、図６に示す特許文献１（中華民国９１１３２９６８号発明専利の図１Ａ）のように、注射器は、主として、プランジャー本体５０の前端に、係合槽５１が設けられ、該係合槽５１に、突入ブッシュ５２から後端へ延ばす係合ピン５３が係止されて結合され、これにより、針座が、注射筒内に引き戻されて２次利用の目的が達成できる。そして、プランジャー本体５０と突入ブッシュ５２との係合関係をより安定的にするため、前記係合ピン５３に、更に、外方へ延ばす後端部５４が形成されている。しかるに、前記後端部５４の構造により、プランジャー本体５０の係合槽５１がスムーズに係合ピン５３に挿設することができないという問題点がある。
【０００３】
また、従来技術として、図７に示す特許文献２（中華民国専利申請号８０２００４９３号新型専利の図３）に示すように、この発明では、底座１１１の中央に位置するテーパ形状突出１１４が、プランジャー１０６の前端の径方向切り込み槽１１８まで、突入することにより、テーパ形状突出によって、径方向切り込み槽１１８が広げられて突出歯に係止され、そのため、底座と注射針が安定的に注射筒内に引き戻される構成となっている。
【０００４】
しかし、前記従来例の設計によれば、底座壁面から突出した傾斜状の突出歯と前端とが安定的に係止することにより、引き戻すことはできるが、突出歯が突出しすぎることと、突出歯の中央がテーパ形状の突出であることにより、押し入れた時に、プランジャーの前端が突出歯の斜面において、内縮する径方向切り込み槽により容易にテーパ形状の突出斜面に係止されてしまう。そのため、より大きい力を付勢しないとスムーズに嵌入できず、実用的とは言えない。
また、プランジャーは、比較的大きい押圧力で挿入されないと底座と係合できないので、押圧力が過度に掛かりすぎた場合などには、底座の上方に位置するソケットが連動されて上方へ変位し、ソケットの底端に位置するテーパ面が突出口内壁斜面に沿って脱出するため、注射針が脱落する恐れがある。
更に、注射針の表面に突出部が形成されているため、底座とソケットを引き戻す時に、所定の角度を回転しないとスムーズに引き戻すことができず、全体としての設計が複雑で、改善すべき点がある。
【特許文献１】中華民国第９１１３２９６８号発明専利公報
【特許文献２】中華民国専利申請第８０２００４９３号公開公報
【発明の開示】
【発明が解決しようとする課題】
【０００５】
本発明は、本発明に係わる安全注射器は、構造が簡素化で、組立てがスムーズであり、押圧棒の前縁に切溝を有する係合体を突設して、中継接続部の延ばした斜テーパ形状の突出体が係止槽に深く突入することにより、係合体の当接部と中継接続部の壁面にある位置決め溝の係止関係がより安定的になり、これにより、押圧棒を引き戻す過程において、注射針セットが注射筒の収納室にスムーズに戻らないようなことを防止でき、更に、係合体と中継接続部との係止は、一般の加工方式で円形状の係止槽を形成して、下端に直径が係止槽の内径よりやや小さいテーパ形状の突出体を設けることにより、押圧棒と中継接続部とがスムーズに係合することで、簡単に行えることを目的とする安全注射器を提供する。
【課題を解決するための手段】
【０００６】
本発明の安全注射器に係る請求項１の発明は、全体が中空円筒体に形成され、前端に位置して注射針セットを収納する第１の端と、指引掛け部が設けられた末端に位置する第２の端があり、内部には収納室が形成されると共に、前記第１の端の内部は、収納室に連通して口径が収納室の口径より小さい収納孔が形成された注射筒と、前記注射筒の収納室の内壁に密着して摺動できるように弾性ピストンが設けられた一端が、軸方向に直線的に摺動するように注射筒の収納室に挿設され、他端に指押し部が形成される押圧棒と、前記弾性ピストンが外側に配設され、かつ中央部分に内凹みの係止槽が設けられ、外表面に当接部が設けられた係合体と、頂端に注射針が設けられ、かつ末端に接合部が形成された中継接続部と、該接合部に、前記注射針に連通する流路が設けられた中央突出体を有し、該突出体を囲むように接合槽が設けられた注射針セットと、を備えたことを特徴とする。
【０００７】
請求項２の発明は、請求項１に記載の安全注射器において、前記中継接続部の中央突出体の下端が、上から下へ少しずつ縮小するような上部で広く下部で狭くなる態様のテーパ形状の突出体で、該テーパ形状の突出体の下端の直径寸法が、係止槽の内径より少し小さくて、係合体に、係止槽の軸方向に切溝が形成され、突出体を係止槽に突入させることにより、係合体が分離されて外方へ弾性的に広がるようにしたことを特徴とする。
【０００８】
請求項３の発明は、請求項１に記載の安全注射器において、前記係合体の外表面の当接部が、外突環状であり、接合槽の内壁面に、位置決め溝が設けられ、該係合体が外方へ広げられた時、該当接部が該位置決め溝に係止することを特徴とする。
【０００９】
請求項４の発明は、請求項１に記載の安全注射器において、前記収納孔の底端壁面に、当接斜面が形成され、接合槽の外表面に、収納孔の当接斜面に対応する装着部が形成されることを特徴とする。
【発明の効果】
【００１０】
本発明は、上記構成を備えることにより次のような効果が得られる。
１）本発明に係わる安全注射器は、構造が簡素化で、組立てがスムーズであり、押圧棒の前縁に切溝を有する係合体を突設して、中継接続部の延ばした斜テーパ形状の突出体が係止槽に深く突入することにより、係合体の当接部と中継接続部の壁面にある位置決め溝の係止関係がより安定的になり、これにより、押圧棒を引き戻す過程において、注射針セットが注射筒の収納室にスムーズに戻れないようなことを防止でき、更に、係合体と中継接続部との係止は、一般の加工方式で円形状の係止槽を形成して、下端に直径が係止槽の内径よりやや小さいテーパ形状の突出体を設けることにより、押圧棒と中継接続部とがスムーズに係合することで、簡単に行えるという目的が達成され、これにより、従来技術における、押圧棒の係止用突出歯を更に延ばすことによる注射器構造の複雑性の問題点、そして、延ばした突出歯がスムーズにプランジャーに係止することができない問題点を解消できる。
２）注射針が脱出することがなく、係合体の係止槽と中継接続部の突出柱の構造が簡素化され、係止がスムーズにできるため、比較的に小さい力により薬液が完全に体内に注入され、そして、互いに嵌合して結合する目的が達成され、また、注射針が注射筒から脱離することがなく、また、比較的に大きい押圧力を印加しても、中継接続部の底端に位置する接合槽の外表面の斜錐状装着部と当接斜面に対応する収納孔により、中継接続部に螺着された注射針が注射筒から脱離することを防止できる。
【発明を実施するための最良の形態】
【００１１】
以下本発明に係る安全注射器の実施の形態について図面を参照して説明するが、本発明に係る安全注射器は以下に説明する実施の形態に限定されるものではない。
【実施例】
【００１２】
図１は本発明に係る安全注射器の分解斜視図で、図２は安全注射器を組み立てた状態の縦断側面図である。１は安全注射器で、注射筒１０と押圧棒２０と注射針セット４０とから構成されている。
【００１３】
前記注射筒１０は、中空円筒体で前端に位置して注射針セット４０を収納するテーパ形状の第１の端と、末端に位置して指で挟み持つための指掛部１１が設けられる第２の端とを有し、内部には中空の収納室１２が形成されている。  
前記第１の端の内部には、前記収納室１２に連通して口径が収納室１２の口径より小さい収納孔１３が形成されている。
【００１４】
前記押圧棒２０は、前端に前記注射筒１０の収納室１２の中空の内壁面に密着して摺動できるように弾性ピストン２１が係合体３０の外方に設けられ、直線的に摺動するように注射筒１０の収納室１２内に挿設され、後端には手動用の指押し部２２が形成されている。
【００１５】
前記注射針セット４０は、前記係合体３０の先端部に装着されるようになっている。前記係合体３０の先端部には、中央部分に軸方向に内凹みの円形状の係止槽３１が設けられた当接部３２が突設されている。また、前記係止槽３１の外壁面には軸方向に対応して一対の切溝３３が設けられ、前記係止槽３１に対して力を付加すると切溝３３を介して、それぞれ、外方に弾性的に広がるようになっている。
【００１６】
また、前記係合体３０の先端部には中継接続部４１が配設されており、前記注射筒１０の第１の端の内部にある収納孔１３に収納され、該中継接続部４１の頂端に内面に形成した雌ねじ部に注射針４２の後端部が螺着されるようになっている。また、前記注射針４２の外方には、自分や他人を傷付けることを防止するための蓋体４３が嵌設されている。
【００１７】
前記中継接続部４１の中央末端には、接合部４４が設けられ、該接合部４４の中央には、下端が軸方向に延びる上部が広く、下部が狭く形成されたテーパ形状の突出体４４１が設けられており、該突出体４４１内部には前記注射針４２に連通する流路４４２が設けられている。
【００１８】
また、前記突出体４４１を囲むように、環状の接合槽４４３が形成され、該接合槽４４３の内壁面には、位置決め溝４４３１が環設され、外縁表面には下部から上部に向けて狭まるように傾斜するテーパ形状の装着部４４４が形成されている。
【００１９】
以上のように形成された本発明の安全注射器の組み立て使用状態について、図２、図３を参照しながら説明する。
先ず、押圧棒２０が収納孔１３内の中継接続部４１に当接するように押されると、押圧棒２０の前端から突出した係合体３０の当接部３２が接合槽４４３の壁面に位置する位置決め溝４４３１に係止し、前記接合部４４の中央に位置するテーパ状の突出体４４１が係合体３０の係止槽３１に突入するようになって係止する。
【００２０】
また、突出体４４１の上部が広く下部が狭く形成されたテーパ形状部と、前記係止槽３１に軸方向に対応して形成した切溝３３により、前記係合体３０の二つに分離された半円体が、前記接合槽４４３の壁面方向へ向かって広げられて、前記係合体３０の頂縁に位置する当接部３２と位置決め溝４４３１との係止関係がより安定的になる。
【００２１】
また、図４に示すように、押圧棒２０を引き戻す時、注射針セット４０、中継接続部４１、弾性ピストン２１、係合体３０が、それぞれ安定的に連動されて収納孔１３から脱離して、注射筒１０の収納室１２内に落ち込むようになる。この時、係合体３０の下縁の一側にある突出柱が、押圧棒２０より折れて分離し、前記注射針４２が一側へ向かって変位し、これにより、安全注射器が２次利用されるのを防止することができるようになる。
【００２２】
図５に示すように、蓋体４３が不注意に紛失された場合でも、注射針セット４０を注射筒１０の収納室１２に引き戻すことができるようになっている。そして、蓋体４３が紛失された注射針セット４０が収納室１２に引き戻された時、注射針４２の先端が完全に収納孔１３内部に収容され、更に、収納孔１３から脱離することにより、前述と同様に係合体３０の下縁の一側に位置する突出柱でピストン２０の先端部より折れてしまい、前記注射針４２が一側へ変位する。そのため、収納孔１３から脱離した注射針４２は側面へ傾斜して、収納室１２と収納孔１３との間の当接面に係止する。    
【００２３】
従って、注射針の先端が収納孔１３の先端より飛び出して、人体を傷つけたりする危険性や、注射針が２次利用される可能性を防止することができ、より安全的な効果が得られる。
【図面の簡単な説明】
【００２４】
【図１】本発明の安全注射器の一実施例を示すもので、全体を分割して一部切欠き断面で示す斜視図。
【図２】本発明の安全注射器を組み立てた状態の縦断面図。
【図３】図２の要部の拡大断面図。
【図４】本発明の安全注射器における使用状態を示し、注射針セットを引き戻して折れた状態の断面図。
【図５】本発明の安全注射器における使用状態を示し、注射針セットに蓋体がない場合の引き戻して折れた状態の断面図。
【図６】従来の安全注射器（中華民国９１１３２９６８号発明専利の図１Ａ）を示す要部断面図。
【図７】従来の安全注射器（中華民国８０２００４９３号新型専利の図３）を示す要部断面図。
【符号の説明】
【００２５】
１          安全注射器
１０        注射筒
１０６      プランジャー
１１        指引掛け部
１１１      底座
１１４      突出
１１８      径方向切り込み槽
１２        収納室
１３        収納孔
１３１      当接斜面
２０        押圧棒
２１        弾性ピストン
２２        指押し部
３０        係合体
３１        係止槽
３２        当接部
３３        切溝
４０        注射針セット
４１        中継接続部
４２        注射針
４３        蓋体
４４        接合部
４４１      突出体
４４２      流路
４４３      接合槽
４４３１    位置決め溝
４４４      装着部
５０        プランジャー本体
５１        係合槽
５２        ブッシュ
５３        係合ピン
５４        後端部
【図１】
2008136584.tif 000003
【図２】
2008136584.tif 000004
【図３】
2008136584.tif 000005
【図４】
2008136584.tif 000006
【図５】
2008136584.tif 000007
【図６】
2008136584.tif 000008
【図７】
2008136584.tif 000009